(57)【要約】【課題】    従来の携帯電話の携行の方法では、鞄に仕舞えば呼出に気が付かない時や、衣服等に身に付ければ、嵩張ったり、長時間だと重くて肩がこるので、携行するのに困っていた。【解決手段】   上記の不便さを解決する方法として考案の携帯電話ベルトフックを使用し、ズボンの横ポ ケットの中に吊るしておくと、腰への重さの負担も無く、常に身に付けていられるので呼出し 音でもバイブでもすぐに気が付き応答出きる。又ポケットの中に縦に吊るしている為、見映え も良く取出しやすい。【選択図】        図１
2004344682.tif 000002
【特許請求の範囲】
【請求項１】
衣服の腰及びベルトに考案のＳ字フックを取りつけ、携帯電話に付けてあるストラップ等を引掛け、ズボンのポケット等の中に携帯電話を吊るし仕舞っておく為の、携帯電話ベルトフック。
【請求項２】
携帯電話ベルトフックの先端にキャラクターを差し込む、キャラクター。
【発明の詳細な説明】
【技術分野】
【０００１】
本考案は、衣服の腰やベルトにＳ字フックを取付けて、そのＳ字フックに携帯電話に付けてあるストラップ等を引掛け、携帯電話をポケットに仕舞い、必要な時に電話の取外しが簡単に出来る携帯電話ベルトフックに関するものである。
【０００２】
携帯電話ベルトフックの先端に装飾用にキャラクターを取付けたキャラクターに関するものである。
【背景技術】
【０００３】
（１）従来の腰ベルトに袋状の物を付た 携帯電話を入れ があるが、腰の高さに携帯電話があり、体より突出している為、手に当ったり、物に引っ掛たり又よく目立つ上に見映えが良くない。
（２）その携帯電話入は、出し入れにいちいち脱着止めを外さなければならない為、応答に時間がかかる。
【発明の開示】
【発明が解決しようとする課題】
【０００４】
常時携帯していなければならない携帯電話を、携帯しておくのに、以下のような不便がある。
（1） 鞄等に仕舞っていると、ベルやバイブが鳴っても聞えない時や気付かない時がある。
（2） 衣服のポケットに収納すれば、電話の重さで肩や首への負担が増す。首に吊るす場合も同様で又多様な諸作業の邪魔になる。
（3） 胸ポケットに収納する場合は、うつ向き姿勢では、電話を落してしまう可能性が高く、クリップを付けて胸ポケットに挟んでおいても、同じ結果になることが多い。
（4） ズボンのポケットにしまっておくと  股間前部が膨れたようで見映えが悪い。又取出す時は携帯電話がポケットに横向きに納まっているので、ポケットの中で引っかかり、取出しにくい時がある。
（5） ズボンの後ろポケットにしまっておくと、座った時に携帯電話を壊してしまったり、電話のボタンを押してしまう事がある。
本考案は，以上のような不便さをなくすためになされたものである。
【課題を解決するための手段】
【０００５】
不便さを解決する方法として、考案の携帯電話ベルトフックを用い携帯電話をズボンの横ポケットの中に吊るしておくと以下のような便利さがある。
（1） いつも肌身はなさず持っているためベルやバイブが鳴ってもすぐ分かる。又ズボンの裏地等を挟んで肌に接しているので、バイブで電話がかかったことに気付き、周囲の人にも迷惑をかけない。又周囲の音が大きい場合でもバイブですぐに気付く。
（2） 携帯電話のストラップの長さの調整により、ズボンのポケットの底に電話を着かないようにすれば、腰に吊るした状態なのでポケットの中での違和感がなく重さもない。腰への負担もほとんど感じない。
（3） ズボンの横ポケットに吊るしている状態なので、携帯電話が縦になっている為、外見上違和感がない。
（4） ズボンのポケットの中に吊るしているので携帯電話が邪魔にならない。
（5） 携帯電話をフックに引掛けただけなので電話が鳴ってもストラップを持って引き出せばストラップがフックから外れすぐに応答出来る。又電話を持ってポケットより引き出す時も、電話がポケットの中で縦に入っているので直ぐに取り出せる。
（6） 座っても、太ももの側面なので携帯電話を押えることがない。
（7） 携帯電話をフックに吊るし、ポケットにしまって紛失予防に二重の保護をしている為、誤って落してしまうことがない。
【発明の効果】
【０００６】
（1） 電話を長時間持っていても、重さの疲労や嵩張りがない為、かかってきた電話をいつも逃さず応答出来る。
（2） 携帯電話を落したり、壊したりしない。
（3） 携帯電話を持っていても、外見上違和感がない
【発明を実施するための最良の形態】
【０００７】
以下、本考案の実施例について説明する。
長さ１３ｃｍ直径２．５ｍｍ程度のステンレス磨き棒の中間部分を徐々に平らにし、厚み０．３ｍｍ巾１．５ｃｍ程度の板にする。
棒状部分と板状部分でＳ字フックに折り曲げ加工する。
棒状のＳ字フック側は携帯電話のストラップを引掛け又その先端は衣服や肌に傷が付かない様、直径３．５ｍｍ程度の球状加工を施しておく。
板状のＳ字フック側は衣服のズボンやスカート及びベルトに挟み取り付ける。取外すことも可能。
衣服又は、ベルトに挟むフック側の折り返し部分の半径は６ｍｍ程度とし徐々に狭くし衣服に軽く固定できる程度とする。その隙間は４ｍｍから６ｍｍ程度として、先端は少し開いてベルト等に挿入しやすいようにする。又その先端は少し丸みをもたせる。
Ｓ字中間部分でベルトに密着性を高める為と、ストラップを外す際、外れやすいようにＺ型に折り曲げる。
携帯電話のフック側の折返し部分の半径は、ストラップの巾を考慮し半径３ｍｍ程度に曲げストラップを取外しやすいよう広い部分で９ｍｍ程度の間隔あける又電話のストラップが誤って外れないようにと、手に当る違和感を極力少なくする為に内側に少し折り曲げる。その先端の隙間間隔は６ｍｍ程度とする。
本考案は、以上のような構造でこれを使用するときは、ベルト等に取り付け、携帯電話をこれに吊るし電話がかかってきた時に携帯電話のストラップを持ってポケットより引出せば素早く応答できる。
【０００８】
棒状のフックの先端にはオシャレ性を考慮し、中高生や女性向きにプラスチック製のキャラクターを取付ける事も可能である。
キャラクターはフックの先端に差し込みキャラクターがフック先端の球状部分で簡単に外れないよう外れ防止の窪みを造る。
携帯電話ベルトフックより携帯電話を取出す際、電話のストラップがキャラクターに引っ掛らないよう棒状フックの先端は内側に折り曲げず、９ｍｍ巾のままにする。又キャラクターも流線型とする。
【実施例】
【０００９】
（1） 携帯電話ベルトフックは、携帯電話の腰ベルトフックとして使用する。
（2） 携帯電話ベルトフックは、キーホルダーの腰ベルトフックとして使用する。
【産業上の利用可能性】
【００１０】
男女を問わず、携帯電話を持っている人全員が使用できる。
【図面の簡単な説明】
【００１１】
【図１】使い方を示した使用例の全体図である。
【図２】製品を示した側面図である。
【図３】製品を示した正面図である。
【図４】製品を上から示した平面図である。
【図５】携帯電話ベルトフックにキャラクター等を取りつけた側面図である。
【図６】携帯電話ベルトフックにキャラクター等を取りつけた正面図である。
【符号の説明】
【００１２】
１  腰ベルト
２  携帯電話ベルトフック
３  携帯電話のストラップ
４  携帯電話
５  衣服ポケット
６  ２．５ｍｍ程度のステンレス磨き棒
７  棒の先端に直径３．５ｍｍ程度のステンレス球  
８  Ｓ字中央部分は棒状からベルト付近にだんだんと巾１５ｍｍ程度の板状に延ばす。
９  ベルトを挟む内側の厚さは０．３ｍｍ程度の板状  
１０  ベルトに挿入出来やすくする為に、先端を少し開き丸みをもたせる。
１１  ベルトに密着性を高める為と、ストラップが外れやすいようにＺ型に折り曲げる。
１２  ４ｍｍから６ｍｍ程度の隙間
１３  半径４ｍｍ程度に折り曲げる。
１４  半径３ｍｍ程度に折り曲げる。
１５  隙間９ｍｍ程度
１６  電話が落しちにくいように内側に少し折り曲げる。
１７  隙間７ｍｍ程度
１８  キャラクター（フックの先端に差し込み式）フックの先端は内側に折り曲げない（垂直とする。）
【図１】
2004344682.tif 000003
【図２】
2004344682.tif 000004
【図３】
2004344682.tif 000005
【図４】
2004344682.tif 000006
【図５】
2004344682.tif 000007
【図６】
2004344682.tif 000008
【手続補正書】
【提出日】平成16年8月23日(2004.8.23)
【手続補正１】
【補正対象書類名】明細書
【補正対象項目名】０００３
【補正方法】変更
【補正の内容】
【０００３】
（１）従来の腰ベルトに袋状の物を付けた 携帯電話入れ があるが、腰の高さに携帯電話があり、体より突出している為、手に当ったり、物に引っ掛けたり又よく目立つ上に見映えが良くない。
（２）その携帯電話入は、出し入れにいちいち脱着止めを外さなければならない為、応答に時間がかかる。
【手続補正２】
【補正対象書類名】明細書
【補正対象項目名】０００７
【補正方法】変更
【補正の内容】
【０００７】
以下、本考案の実施例について説明する。
長さ１３ｃｍ直径２．５ｍｍ程度のステンレス磨き棒の中間部分を徐々に平らにし、厚み０．３ｍｍ巾１．５ｃｍ程度の板にする。
棒状部分と板状部分でＳ字フックに折り曲げ加工する。
棒状のＳ字フック側は携帯電話のストラップを引掛け又その先端は衣服や肌に傷が付かない様、直径３．５ｍｍ程度の球状加工を施しておく。
板状のＳ字フック側は衣服のズボンやスカート及びベルトに挟み取り付ける。取外すことも可能。
衣服又は、ベルトに挟むフック側の折り返し部分の半径は４ｍｍ程度とし徐々に狭くし衣服に軽く固定できる程度とする。その隙間は２ｍｍから４ｍｍ程度として、先端は少し開いてベルト等に挿入しやすいようにする。又その先端は少し丸みをもたせる。
Ｓ字中間部分でベルトに密着性を高める為と、ストラップを外す際、外れやすいようにＺ型に折り曲げる。
携帯電話のフック側の折返し部分の半径は、ストラップの巾を考慮し半径３ｍｍ程度に曲げストラップを取外しやすいよう広い部分で９ｍｍ程度の間隔あける又電話のストラップが誤って外れないようにと、手に当る違和感を極力少なくする為に内側に少し折り曲げる。その先端の隙間間隔は６ｍｍ程度とする。
本考案は、以上のような構造でこれを使用するときは、ベルト等に取り付け、携帯電話をこれに吊るし電話がかかってきた時に携帯電話のストラップを持ってポケットより引出せば素早く応答できる。
【手続補正３】
【補正対象書類名】明細書
【補正対象項目名】００１２
【補正方法】変更
【補正の内容】
【００１２】
１  腰ベルト
２  携帯電話ベルトフック
３  携帯電話のストラップ
４  携帯電話
５  衣服ポケット
６  ２．５ｍｍ程度のステンレス磨き棒
７  棒の先端に直径３．５ｍｍ程度のステンレス球
８  Ｓ字中央部分は棒状からベルト付近にだんだんと巾１５ｍｍ程度の板状に延ばす。
９  ベルトを挟む側の板の厚さは０．３ｍｍ程度の板状
１０  ベルトに挿入出来やすくする為に、先端を少し開き丸みをもたせる。
１１  ベルトに密着性を高める為と、ストラップが外れやすいようにＺ型に折り曲げる。
１２  ２ｍｍから４ｍｍ程度の隙間
１３  半径４ｍｍ程度に折り曲げる。
１４  半径３ｍｍ程度に折り曲げる。
１５  隙間９ｍｍ程度
１６  電話が落しにくいように内側に少し折り曲げる。
１７  隙間７ｍｍ程度
１８  キャラクター（フックの先端に差し込み式）フックの先端は内側に折り曲げない（垂直とする。）
【手続補正４】
【補正対象書類名】図面
【補正対象項目名】図１
【補正方法】変更
【補正の内容】
【図１】
2004344682.tif 000009
【手続補正書】
【提出日】平成16年9月10日(2004.9.10)
【手続補正１】
【補正対象書類名】特許請求の範囲
【補正対象項目名】全文
【補正方法】変更
【補正の内容】
【特許請求の範囲】
【請求項１】
衣服の腰及びベルトに発明のＳ字フックを取りつけ、携帯電話に付けてあるストラップ等を引掛け、ズボンのポケット等の中に携帯電話を吊るし仕舞っておく為の、携帯電話ベルトフック。
【請求項２】
携帯電話ベルトフックの先端にキャラクターを差し込む、キャラクター。
【手続補正２】
【補正対象書類名】明細書
【補正対象項目名】全文
【補正方法】変更
【補正の内容】
【発明の詳細な説明】
【技術分野】
【０００１】
本発明は、衣服の腰やベルトにＳ字フックを取付て、そのＳ字フックに携帯電話に付けてあるストラップ等を引掛け、携帯電話をポケットに仕舞い、必要な時に電話の取外しが簡単に出来る携帯電話ベルトフックに関するものである。
【０００２】
携帯電話ベルトフックの先端に装飾用にキャラクターを取付たキャラクターに関するものである。
【背景技術】
【０００３】
（１）従来の腰ベルトに袋状の物を付けた 携帯電話入れがあるが、腰の高さに携帯電話があり、体より突出している為、手に当ったり、物に引掛けたり又よく目立つ上に見映えが良くない。
（２）その携帯電話入は、出し入れにいちいち脱着止めを外さなければならない為、応答に時間がかかる。
【発明の開示】
【発明が解決しようとする課題】
【０００４】
常時携帯していなければならない携帯電話を、携帯しておくのに、以下のような不便がある。
（1） 鞄等に仕舞っていると、ベルやバイブが鳴っても聞えない時や気付かない時がある。
（2） 衣服のポケットに収納すれば、電話の重さで肩や首への負担が増す。首に吊るす場合も同様で又多様な諸作業の邪魔になる。
（3） 胸ポケットに収納する場合は、うつ向き姿勢では、電話を落してしまう可能性が高く、クリップを付けて胸ポケットに挟んでおいても、同じ結果になることが多い。
（4） ズボンのポケットにしまっておくと、股間前部が膨れたようで見映えが悪い。又取出す時は携帯電話がポケットに横向きに納まっているので、ポケットの中で引っかかり、取出しにくい時がある。
（5） ズボンの後ろポケットにしまっておくと、座った時に携帯電話を壊たり、電話のボタンを押してしまう事がある。
本発明は，以上のような不便さをなくすためになされたものである。
【課題を解決するための手段】
【０００５】
不便さを解決する方法として、発明の携帯電話ベルトフックを用い携帯電話をズボンの横ポケットの中に吊るしておくと以下のような便利さがある。
（1） いつも肌身はなさず持っているためベルやバイブが鳴ってもすぐ分かる。又ズボンの裏地等を挟んで肌に接しているので、バイブで電話がかかったことに気付き、周囲の人にも迷惑をかけない。又周囲の音が大きい場合でもバイブですぐに気付く。
（2） 携帯電話のストラップの長さの調整により、ズボンのポケットの底に電話を着かないようにすれば、腰に吊るした状態なのでポケットの中での違和感がなく重さもない。腰への負担もほとんど感じない。
（3） ズボンの横ポケットに吊るしている状態なので、携帯電話が縦になっている為、外見上違和感がない。
（4） ズボンのポケットの中に吊るしているので携帯電話が邪魔にならない。
（5） 携帯電話をフックに引掛けただけなので電話が鳴ってもストラップを持って引き出せばストラップがフックから外れすぐに応答出来る。又電話を持ってポケットより引き出す時も、電話がポケットの中で縦に入っているので直ぐに取り出せる。
（6） 座っても、太ももの側面なので携帯電話を押えることがない。
（7） 携帯電話をフックに吊るし、ポケットにしまって紛失予防に二重の保護をしている為、誤って落してしまうことがない。
【発明の効果】
【０００６】
（1） 電話を長時間持っていても、重さの疲労や嵩張りがない為、かかってきた電話をいつも逃さず応答出来る。
（2） 携帯電話を落したり、壊したりしない。
（3） 携帯電話を持っていても、外見上違和感がない
【発明を実施するための最良の形態】
【０００７】
以下、本発明の実施例について説明する。
長さ１３ｃｍ直径２．５ｍｍ程度の金属又は非金属棒の中間部分を徐々に平らにし、厚み０．３ｍｍ巾１．５ｃｍ程度の板にする。
棒状部分と板状部分でＳ字フックに折り曲げ加工する。
棒状のＳ字フック側は携帯電話のストラップを引掛け又その先端は衣服や肌に傷が付かない様、直径３．５ｍｍ程度の球状加工を施しておく。
板状のＳ字フック側は衣服のズボンやスカート及びベルトに挟み取付ける。取外すことも可能。
衣服又は、ベルトに挟むフック側の折り返し部分の半径は４ｍｍ程度とし徐々に狭くし衣服に軽く固定できる程度とする。その隙間は２ｍｍから４ｍｍ程度として、先端は少し開いてベルト等に挿入しやすいようにする。又その先端は少し丸みをもたせる。
Ｓ字中間部分でベルトに密着性を高める為と、ストラップを外す際、外れやすいようにＺ型に折り曲げる。
携帯電話のフック側の折返し部分の半径は、ストラップの巾を考慮し半径３ｍｍ程度に曲げストラップを取外しやすいよう広い部分で９ｍｍ程度の間隔あける又電話のストラップが誤って外れないようにと、手に当る違和感を極力少なくする為に内側に少し折り曲げる。その先端の隙間間隔は６ｍｍ程度とする。
本発明は、以上のような構造でこれを使用するときは、ベルト等に取り付け、携帯電話をこれに吊るし電話がかかってきた時に携帯電話のストラップを持ってポケットより引出せば素早く応答できる。
【０００８】
棒状のフックの先端にはオシャレ性を考慮し、中高生や女性向きにプラスチック製のキャラクターを取付ける事も可能である。
キャラクターはフックの先端に差し込みキャラクターがフック先端の球状部分で簡単に外れないよう外れ防止の窪みを造る。
携帯電話ベルトフックより携帯電話を取出す際、電話のストラップがキャラクターに引っ掛らないよう棒状フックの先端は内側に折り曲げず、９ｍｍ巾のままにする。又キャラクターも流線型とする。
【実施例】
【０００９】
（1） 携帯電話ベルトフックは、携帯電話の腰ベルトフックとして使用する。
（2） 携帯電話ベルトフックは、キーホルダーの腰ベルトフックとして使用する。
【産業上の利用可能性】
【００１０】
男女を問わず、携帯電話を持っている人全員が使用できる。
【図面の簡単な説明】
【００１１】
【図１】使い方を示した使用例の全体図である。
【図２】製品を示した側面図である。
【図３】製品を示した正面図である。
【図４】製品を上から示した平面図である。
【図５】携帯電話ベルトフックにキャラクター等を取付けた側面図である。
【図６】携帯電話ベルトフックにキャラクター等を取付けた正面図である。
【符号の説明】
【００１２】
１  腰ベルト
２  携帯電話ベルトフック
３  携帯電話のストラップ
４  携帯電話
５  衣服ポケット
６  ２．５ｍｍ程度の金属又は非金属棒
７  棒の先端に直径３．５ｍｍ程度の金属又は非金属球
８  Ｓ字中央部分は棒状からベルト付近にだんだんと巾１５ｍｍ程度の板状に延ばす。
９  ベルトを挟む側の板の厚さは０．３ｍｍ程度の板状
１０  ベルトに挿入出来やすくする為に、先端を少し開き丸みをもたせる。
１１  ベルトに密着性を高める為と、ストラップが外れやすいようにＺ型に折り曲げる。
１２  ２ｍｍから４ｍｍ程度の隙間
１３  半径４ｍｍ程度に折り曲げる。
１４  半径３ｍｍ程度に折り曲げる。
１５  隙間９ｍｍ程度
１６  電話が落しにくいように内側に少し折り曲げる。
１７  隙間７ｍｍ程度
１８  キャラクター（フックの先端に差し込み式）フックの先端は内側に折り曲げない（垂直とする。）